(57)【要約】【課題】  本発明は、ユーザがよく使うコピー動作設定を簡単に設定、登録することができるようにする。又、コピー動作設定がなされているか否かもひとめで分かり易くする。【解決手段】  今まであったファクシミリのときのワンタッチキーを使用することで登録するためのキーを増やさず、また、動作設定がされているかも動作モードを知らせるためのＬＥＤを点滅させることでユーザに対して容易に知らせることができるようにした。【選択図】  図１
2006245900.tif 000002
【特許請求の範囲】
【請求項１】
電話番号を登録する手段と、
動作モードを変更する手段と、
情報を記憶する手段と、
動作状態と静止状態を知らせるためのＬＥＤと、
動作モードを知らせるためのＬＥＤを有するファクシミリ装置において、
ある動作モードで設定された条件があるときは動作モードのＬＥＤを設定なしのときと点灯方法を変更することを特徴とするファクシミリ装置。
【請求項２】
電話番号を登録する手段と、
動作モードを変更する手段と、
情報を記憶する手段と、
ファクシミリ動作モード時に一度の操作で登録した電話番号を呼び出すワンタッチキーを有するファクシミリ装置において、
複写動作モード時には複写設定を呼び出すためのワンタッチキーと共有することを特徴とするファクシミリ装置。
【請求項３】
電話番号を登録する手段と、
動作モードを変更する手段と、
情報を記憶する手段と、
動作状態と静止状態を知らせるためのＬＥＤと、
動作モードを知らせるためのＬＥＤと、
ファクシミリ動作モード時に一度の操作で登録した電話番号を呼び出すワンタッチキーを有するファクシミリ装置において、
複写動作モード時には複写設定を呼び出すためのワンタッチキーと共有し、
ある動作モードで設定された条件があるときは動作モードのＬＥＤを設定なしのときと点灯方法を変更することを特徴とするファクシミリ装置。
【発明の詳細な説明】
【技術分野】
【０００１】
本発明は、ファクシミリ機能、複写機能を有するファクシミリ装置に関し、特にファクシミリ送信のために複数のワンタッチキーを有し、コピーモードの設定が複数有する装置に関するものである。
【背景技術】
【０００２】
近年、ファクシミリ機能やコピー機能などの増加により、装置の状態を示すための大型のＬＣＤを搭載することによって、装置の状態を操作者に示すようになった。しかし、大型のＬＣＤを搭載することによりコストが上がってしまう。
【０００３】
又、別の従来例としては、特許文献１及び特許文献２をあげることが出来る。
【特許文献１】特開平06-276313号公報
【特許文献２】特開2001-245092号公報
【発明の開示】
【発明が解決しようとする課題】
【０００４】
ところが、本発明のように大型のＬＣＤを使用していない場合は毎回設定をしなおしてもらうか、デフォルトの状態でコピーを取ってもらうことしかなかった。また、コピー設定がなされているかをＬＣＤ上で確認するしかなかった。本発明に係る目的はユーザに対してコピー設定がなされているかをひとめで認識できることに有り、コピー設定を簡単に行うことにある。
【課題を解決するための手段】
【０００５】
上記目的を達成するために請求項1に記載のファクシミリ装置は電話番号を登録する手段と、動作モードを変更する手段と、情報を記憶する手段と、動作状態と静止状態を知らせるためのＬＥＤと、動作モードを知らせるためのＬＥＤを有する。
【０００６】
上記目的を達成するために請求項２に記載のファクシミリ装置は電話番号を登録する手段と、動作モードを変更する手段と、情報を記憶する手段と、ファクシミリ動作モード時に一度の操作で登録した電話番号を呼び出すワンタッチキーを有する。
【０００７】
上記目的を達成するために請求項３に記載のファクシミリ装置は電話番号を登録する手段と、動作モードを変更する手段と、情報を記憶する手段と、動作状態と静止状態を知らせるためのＬＥＤと、動作モードを知らせるためのＬＥＤと、ファクシミリ動作モード時に一度の操作で登録した電話番号を呼び出すワンタッチキーを有する。
【発明の効果】
【０００８】
以上述べたように、本出願に係る発明によれば、動作モードを知らせるＬＥＤを点滅することにより、新規のＬＥＤを使用せずにユーザに対してコピー動作設定されているかを知らせることができ、また、ファクシミリのときに使用するワンタッチキーを使用することにより、キーを増やさずにコピー動作設定を登録することができる。
【発明を実施するための最良の形態】
【０００９】
本発明の詳細を実施例の記述に従って説明する。
【実施例１】
【００１０】
以下、図面を参照して本発明における一実施例を説明する。
【００１１】
図１は、本発明を適用したファクシミリ装置の概略構成を示すブロック図である。
【００１２】
ファクシミリ装置において、ＣＰＵ１０１は、システム制御部であり、ファクシミリ装置の全体を制御する。
【００１３】
ＲＯＭ１０２は、ＣＰＵ１０１が実行する制御プログラムや組み込みオペレーティングシステム（ＯＳ）プログラム等を格納する。上記実施例では、ＲＯＭ１０２に格納されている各制御プログラムは、ＲＯＭ１０２に格納されている組み込みＯＳの管理下で、スケジューリングやタスクスイッチ等のソフトウエア制御を行う。
【００１４】
ＲＡＭ１０３は、ＳＲＡＭ（ｓｔａｔｉｃ ＲＡＭ）等で構成され、プログラム制御変数等を格納し、また、オペレータが登録した設定値やファクシミリ装置の管理データ等を格納し、各種ワーク用バッファ領域が設けられている。
【００１５】
画像メモリ１０４は、ＤＲＡＭ（ｄｙｎａｍｉｃ ＲＡＭ）等で構成され、画像データを蓄積する。
【００１６】
データ変換部１０５は、ページ記述言語（ＰＤＬ）等の解析や、キャラクタデータのＣＧ（ｃｏｍｐｕｔｅｒ ｇｒａｐｈｉｃｓ）展開等、画像データの変換を行う。
【００１７】
読取制御部１０６は、読取部１０７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、上記実施例では、読取制御部１０６は、原稿を搬送しながら読み取りを行うシート読取制御方式と、原稿台にある原稿をスキャンするブック読取制御方式の両制御方式に対応している。
【００１８】
操作表示部１０８は、数値入力キー、文字入力キー、ワンタッチ電話番号キー、モード設定キー、決定キー、取り消しキー等を備え、ユーザが画像送信相手先データの決定や設定データの登録動作を行うための操作部と、各種キー、ＬＥＤ（発光ダイオード）とＬＣＤ（液晶ディスプレイ）等によって構成され、オペレータによる各種入力操作や、ファクシミリ装置の動作状況、ステータス状況の表示等を行う表示部である。操作表示部１０８の操作部、表示部については図２で詳しく説明する。
【００１９】
通信制御部１０９は、ＭＯＤＥＭ（変復調装置）や、ＮＣＵ（網制御装置）等によって構成されている。上記実施例では、通信制御部１０９は、アナログの通信回線（ＰＳＴＮ）１３１に接続され、Ｔ３０プロトコルでの通信制御、通信回線に対する発呼と着呼等の回線制御を行っている。
【００２０】
解像度変換処理部１１０は、画像データのミリ−インチ解像度変換等の解像度変換制御を行う。なお、解像度変換部１１０において、画像データの拡大縮小処理も可能である。
【００２１】
符号復号化処理部１１１は、ファクシミリ装置で扱う画像データ（ＭＨ、ＭＲ、ＭＭＲ、ＪＢＩＧ、ＪＰＥＧ等）を符号復号化処理や、拡大縮小処理を行う。
【００２２】
記録制御部１１２は、印刷される画像データに対し、図示しない画像処理制御部を介して、スムージング処理や記録濃度補正処理、色補正等の各種画像処理を施し、高精細な画像データに変換し、記録部１１３に出力する。記録部１１３は、レーザビームプリンタやインクジェットプリンタ等からなる印刷装置であり、カラー画像データ、またはモノクロ画像データを印刷部材に印刷する。
【００２３】
ＵＳＢファンクション制御部１１4は、ＵＳＢインターフェースの通信制御を行うものであり、ＵＳＢ通信規格に従って、プロトコル制御を行い、ＣＰＵ１０１が実行するＵＳＢ制御タスクからのデータを、パケットに変換し、ＵＳＢコネクタタイプＢ１１５を通して外部の情報処理端末１４１に、ＵＳＢパケット送信を行ったり、逆に、外部の情報処理端末１４１からのＵＳＢパケットを、データに変換してＣＰＵ１０１に対し送信を行ったりする。
【００２４】
上記構成要素１０１〜１０６、１０８〜１１２、１１４は、ＣＰＵ１０１が管理するＣＰＵバス１２１を介して、相互に接続されている。
【００２５】
図２は操作表示部１０８を詳細に説明する平面図である。
【００２６】
電話番号や設定状況などを文字で表示することのできる２０桁２行のＬＣＤ２０２、電話番号や文字の登録や枚数設定に使用できるテンキー２０３、コピーのスタートや送信のスタートなどに使用するステートキー２０４、動作を終了させるときなどに使用するストップキー２０５、コピーモードにするキーとコピーモードになっているときに点灯しているＬＥＤを兼ね備えるコピーＬＥＤ２０６、ファックスモードにするキーとファックスモードになっているときに点灯しているＬＥＤを兼ね備えるファックスＬＥＤ２０７、スキャンモードにするキーとスキャンモードになっているときに点灯しているＬＥＤを兼ね備えるスキャンＬＥＤ２０８、コピー中や送受信中やスキャン中の動作中に点滅している動作中ランプＬＥＤ２０９、紙無しやインク無しなどのエラー時に点滅するエラーランプＬＥＤ２１０、ユーザ登録などの各種設定するメニューに入るためのメニューキー２１１、選択した内容を確定するセットキー２１２、数字の増減や設定する内容をトグルで変化させる矢印キー２１３、記録紙を設定するメニューを呼び出す用紙選択キー２１４、コピーや送信のときの画像読み取り濃度を選択するメニューを呼び出す濃度キー２１５、コピーや送信のときの画像読み取り画質を選択するメニューを呼び出す画質キー２１６、白黒で画像を読み込むときに使用するための白黒キー２１７、カラーで画像を読み込むときに使用するためのカラーキー２１８、ファックスモードのときに相手先情報（電話番号など）を登録しているものをワンタッチで読み出すことのできるワンタッチキー２１９、ファックスモードのときに前回かけた相手先の電話番号をダイアルするリダイアルキー２２０、ファックスモードのときに電話回線をオフ／オンフックし、コピーモード時のコピー設定を記憶するためのオフフック／ホールドキー２２１である。
【００２７】
次に、本発明の実施例にかかるファクシミリ装置のコピーモード時のコピーモードＬＥＤ点滅について、図３のフローチャートを用いて説明する。
【００２８】
ステップＳ３０１でコピーモードになっているかを確認し、コピーモードが選択されているときはコピーＬＥＤ２０７を点灯させデフォルト状態のコピー設定にする。ステップＳ３０１でコピーモードになっていないときはコピーＬＥＤ２０６が押されるまでこの動作を続ける。ステップＳ３０２で用紙選択キー２１４押下や、濃度キー２１５押下や、画質キー２１６押下により表示したメニューを矢印キー２１３により変更した後にセットキー２１２押下により確定したか、カラーキー２１８押下によるカラー印字への変更があったか、テンキー２０３押下による枚数変更があったかどれかが行われたかを確認し、変更が無かったときはステップＳ３０３でスタートキー２０４が押されたかを確認する。ステップＳ３０３でスタートキー２０４が押されたときはステップＳ３０４で動作ＬＥＤフラグをＯＮにして動作中ランプＬＥＤ２０９を点滅させ、ステップＳ３０５でデフォルトの設定で１枚コピーを行い、ステップＳ３０６でコピーが終了したら動作ＬＥＤフラグをＯＦＦにして動作中ランプＬＥＤ２０９の点滅をやめる。ステップＳ３０３でスタートキー２０４が押されなかったときはステップＳ３０７でファックスＬＥＤ２０７、スキャンＬＥＤ２０８のどちらかが押されたかを確認し、押された場合はステップＳ３０８で押されたモードに移行して終了する。ステップＳ３０７で押されなかった場合はステップＳ３０２に戻る。ステップＳ３０２で用紙選択キー２１４押下や、濃度キー２１５押下や、画質キー２１６押下により表示したメニューを矢印キー２１３により変更した後にセットキー２１２押下により確定したか、カラーキー２１８押下によるカラー印字への変更があったか、テンキー２０３押下による枚数変更があったかどれかが行われたときはステップＳ３０９でＬＥＤ点滅フラグをＯＮにしてコピーＬＥＤ２０７を点滅させる。ステップＳ３１０で点滅タイマーをスタートさせてステップＳ３１１でスタートキー２０４が押されたかを確認する。ステップＳ３１１でスタートキー２０４が押されなかったときは、ステップＳ３１２に進み、用紙選択キー２１４押下や、濃度キー２１５押下や、画質キー２１６押下により表示したメニューを矢印キー２１３により変更した後にセットキー２１２押下により確定したか、カラーキー２１８押下によるカラー印字への変更があったか、テンキー２０３押下による枚数変更があったかどれかが行われたか確認し、行われたときはステップＳ３１３で点滅タイマーをリセットし再スタートさせ、ステップＳ３１１に戻る。ステップＳ３１２で設定が行われなかったときはステップＳ３１４に進み、点滅タイマーが設定されている値以上になったかを確認し設定値以下のときはステップＳ３１１に戻り、設定値以上になったときはステップＳ３１５でＬＥＤ点滅フラグをＯＦＦにしてコピーＬＥＤ２０７の点滅をやめる。ステップＳ３１１でスタートキー２０４が押されたときはステップＳ３１６で動作ＬＥＤフラグをＯＮにして動作中ランプＬＥＤ２０９を点滅させ、ステップＳ３１７で設定された状態のコピーを行う。ステップＳ３１８で設定されたコピーが終了したら動作ＬＥＤフラグをＯＦＦにして動作中ランプＬＥＤ２０９の点滅をやめ、ステップＳ３１９で点滅タイマーをリセットし再スタートさせステップＳ３１４に進む。
【００２９】
次に、本発明の実施例にかかるファクシミリ装置のメニューキーからのコピーモードの設定方法について、図４のフローチャートを用いて説明する。
【００３０】
ステップＳ４０１でユーザがメニューボタン２１１を押したがどうかを確認し、押されるまでこの動作を続ける。ステップＳ４０１でメニューボタン２１１が押されたなら、ステップＳ４０２に進み、矢印キー２１３とセットキー２１２でコピー設定登録を選択されたかを確認し、コピー設定登録が選択されなかったときは、ステップＳ４０３に進み、選択されたメニューに従って操作を行う。ステップＳ４０２でコピー設定登録が選択されてときはステップＳ４０４に進み、矢印キー２１３とセットキー２１２を使用して用紙サイズ、紙種、カラー／白黒、印字モードをそれぞれ選択させ、最後の設定が終わったならば、ステップＳ４０５で空いている登録Ｎｏ.を表示して矢印キー２１３とセットキー２１２を使用してユーザに選ばせる。登録Ｎｏ．が設定し終わったならば終了する。
【００３１】
次に、本発明の実施例にかかるファクシミリ装置の現在設定されているコピーモードの登録方法について、図５のフローチャートを用いて説明する。
【００３２】
ステップＳ５０１でコピーモードになっており、ＬＥＤ点滅フラグがＯＮになっているかを確認し、コピーモードになっており、ＬＥＤ点滅フラグがＯＮになっているときは、ステップＳ５０２でホールドボタン２２１が押されたかを確認し、押されていないときはステップＳ５０１に戻る。ステップＳ５０２でホールドボタン２２１が押されたときは、現在設定されているコピーモードをＲＡＭ１０３で一時的に記憶させ、ステップ５０３でホールドタイマーをスタートさせる。ステップＳ５０４でメニューボタン２１１を押したがどうかを確認し、ステップＳ５０４で押されていないときは、ステップＳ５０５でホールドタイマーが設定された値を超えているかを確認し、超えたときはＲＡＭ１０３で一時的に記憶していた情報を削除する。ステップＳ５０５でホールドタイマーが設定値を超えていないときはステップＳ５０４に戻る。ステップＳ５０４でメニューボタン２１１が押されたときは、ステップＳ５０６に進み、矢印キー２１３とセットキー２１２を使用してコピー設定自動登録が選択されたかを確認し、コピー設定自動登録が選択されたときは、ステップＳ５０７で空いている登録Ｎｏ.を表示して矢印キー２１３とセットキー２１２を使用してユーザに選ばせる。登録Ｎｏ．が設定し終わったならばホールドタイマーをストップさせて終了する。ステップＳ５０６でコピー設定自動登録が選択されず、他のメニューが選択されたときは、選択された内容に従って操作を行い、操作し終わったならばステップＳ５０５に進む。
【００３３】
次に、本発明の実施例にかかるファクシミリ装置のワンタッチキーを使用したコピー動作について、図６のフローチャートを用いて説明する。
【００３４】
ステップＳ６０１でコピーモードになっているかを確認し、コピーモードになっていないときはコピーＬＥＤ２０６が押されるまでこの動作を続ける。ステップＳ６０１でコピーモードが選択されているときは、ステップＳ６０２に進み、ワンタッチキー２１９が押下されたかを確認し、ワンタッチキー２１９が押されなかった時はステップＳ６０３に進み、ワンタッチキー以外のキーが押されたかを確認する。何かのキーが押されるまでステップＳ６０２、Ｓ６０３の動作を繰り返す。ステップＳ６０３でワンタッチキー２１９以外のキーが押されたときはステップＳ６０４で押されたキーの動作を行う。ステップＳ６０２でワンタッチキー２１９が押されたときは、ステップＳ６０５に進み、押されたワンタッチキー２１９にコピー設定が登録されているのかを確認し、登録されていないときは、ステップＳ６０６に進み、押されたワンタッチキー２１９にコピー設定がなされていないことをＬＣＤ２０２に表示し、ユーザに知らせ、ステップＳ６０２に戻る。ステップＳ６０５で押されたワンタッチキー２１９にコピー設定が登録されているときは、ステップＳ６０７に進み、ＬＥＤ点滅フラグをＯＮにしてコピーＬＥＤ２０７を点滅させる。ステップＳ６０８で点滅タイマーをスタートさせてステップＳ６０９でＬＣＤ２０２に用紙サイズを表示し、ステップＳ６１０でスタートキー２０４が押されたかを確認する。ステップＳ６１０でスタートキー２０４が押されなかったときは、ステップＳ６１１に進み、矢印キー２１３が押されたかを確認する。ステップＳ６１１で矢印キーが押されなかったときは、ステップＳ６１２に進み、点滅タイマーが設定されている値以上になったかを確認し、設定値以上になったときはステップＳ６１３でＬＥＤ点滅フラグをＯＦＦにしてコピーＬＥＤ２０７の点滅をやめる。ステップＳ６１２で点滅タイマーが設定値以下のときはステップＳ６１０に戻り、スタートキー２０４、矢印キー２１３のどちらかが押されるまでこの動作を続ける。ステップＳ６１０でスタートキー２０４が押されたときは、ステップＳ６１５に進み、動作ＬＥＤフラグをＯＮにして動作中ランプＬＥＤ２０９を点滅させ、ステップＳ６１６で登録されている設定のコピーを行う。ステップＳ６１７でコピーが終了したら動作ＬＥＤフラグをＯＦＦにして動作中ランプＬＥＤ２０９の点滅をやめ、ステップＳ６１８で点滅タイマーをリセットし再スタートさせ、ステップＳ６１０に戻る。
【図面の簡単な説明】
【００３５】
【図１】実施例のファクシミリ装置の概略構成を示すブロック図。
【図２】実施例の操作表示部１０８を詳細に説明する平面図。
【図３】実施例のコピーモード時におけるコピーモードＬＥＤ点滅を示すフローチャート。
【図４】実施例のメニューキーからのコピーモードの設定方法を示すフローチャート。
【図５】実施例の現在設定されているコピーモードの登録方法を示すフローチャート。
【図６】実施例のワンタッチキー（登録された設定）を使用したコピー動作を示すフローチャート。
【符号の説明】
【００３６】
１０１  ＣＰＵ
１０２  ＲＯＭ
１０３  ＲＡＭ
１０４  画像メモリ
１０５  データ変換部
１０６  読取制御部
１０７  読取部
１０８  操作表示部
１２１  ＣＰＵバス
２０２  ＬＣＤ
２０３  テンキー
２０４  スタートキー
２０５  ストップキー
２０６  コピーＬＥＤ
２０９  動作中ランプＬＥＤ
２１１  メニューキー
２１２  セットキー
２１３  矢印キー
２１４  用紙選択キー
２１５  濃度キー
２１６  画質キー
２１７  白黒キー
２１８  カラーキー
２１９  ワンタッチキー
２２１オフフック／ホールドキー
【図１】
2006245900.tif 000003
【図２】
2006245900.tif 000004
【図３】
2006245900.tif 000005
【図４】
2006245900.tif 000006
【図５】
2006245900.tif 000007
【図６】
2006245900.tif 000008